(57)【要約】【課題】ビスなどのネジを用いることを無くし、弾性体リングとこれを押圧する押え板との構成によってハードディスクを適正な圧力で押止することにより高容量，高密度のハードディスクに対して歪が少なく、しかも高い保持力を持って固定できるようにしたハードディスク固定装置およびその固定部材を提供すること。【解決手段】ハードディスクドライブのスピンドルモータ等に用いられるハードディスクＨＤの固定装置であって、ハブ本体のハードディスクＨＤの座部３の段差３ａの高さをハードディスクＨＤの厚さより低くし、この座部３の内側に弾性体リング７およびこの弾性体リング７を押止する押え板８の内径が嵌合する凹陥壁をハブ本体２に形成し、かつこの凹陥壁５に続いてハブ本体２の頂部外周に係止頂部６を設けて成ることを特徴とするハードディスクの固定装置。【選択図】        図１
2006040428.tif 000002
【特許請求の範囲】
【請求項１】
ハードディスクドライブのスピンドルモータ等に用いられるハードディスクの固定装置であって、ハブ本体のハードディスクの座部の段差の高さをハードディスクの厚さより低くし、この座部の内側に弾性体リングおよびこの弾性体リングを押止する押え板の内径が嵌合する凹陥壁をハブ本体に形成し、かつこの凹陥壁に続いてハブ本体の頂部外周に係止頂部を設けて成ることを特徴とするハードディスクの固定装置。
【請求項２】
弾性体リングは無端環状とし、押え板は一部切欠した弾性体とすると共に、それぞれが外周に比し、内周を稍々下側に向けた屈曲部を有することを特徴とする請求項１記載のハードディスクの固定装置。
【請求項３】
請求項１または２記載のハードディスクの固定装置に用いられる弾性体リングおよび押え板であることを特徴とするハードディスクの固定装置の固定部材。
【発明の詳細な説明】
【技術分野】
【０００１】
本発明は、ハードディスクドライブ（ＨＤＤ）のＳＰＭなどに於いて、着脱可能で、ネジ止め機構を有しないで確固な取り付けが可能なハードディスクの固定装置およびその固定部材に関する。
【背景技術】
【０００２】
従来、この種のハードディスクの固定装置としては、ハードディスクを支持するハブ本体に、リング状スペーサを用いて押え、これをビスでネジ止め固定する方法を用いたものが知られている（例えば、特許文献１参照。）。
【０００３】
また、図６に示すように、中心軸（スピンドル）１０１に挿嵌されたハブ本体１０２の外周に形成されるハードディスクＨＤの座部１０３に、ハードディスクＨＤを載置した後、断面ハ字状の円形ディスククランプ１０４をハブ本体１０２の上部に挿通してハードディスクＨＤの内周箇所を押止すると共にクランプナット１０５をハブ本体１０２の上部に螺合緊締して前記クランプ１０４を押圧し、座部１０３との間でハードディスクＨＤを確固に支持する構成も知られている。
【特許文献１】特開２００２−３１３００２号公報
【発明の開示】
【発明が解決しようとする課題】
【０００４】
ところで、前者の公知技術は、構造は簡単であるが、ハードディスクを支持するハブ本体に設けたリング状スペーサを用い、かつビスを用いて押圧しているので、ビスのネジ止めなどで捻回操作を反覆すると、オネジ，メネジのこすれによって微細な切り粉が発生し、この切り粉が使用中飛散して高容量，高密度のハードディスクの表面を汚して誤差の原因を生ずる。
【０００５】
また、後者の場合も同様に円形ディスククランプ１０４を支持し、これを押圧するクランプナット１０５も前者と同様にハブ本体１０２との間にオネジ，メネジ構成を備えるので、微細な切り粉によるハードディスクＨＤの汚損を招く不都合を回避できない。さらに、ハブ本体１０２とハードディスクＨＤとが座部１０３において嵌合クリアランスが生じ、駆動回転中に衝撃荷重が加わるとディスクシフトが派生し、クランプ支持が不良となり、その結果書き込まれたデーターが読めなくなるという問題がある。
【０００６】
又、ディスクシフトを防ぐために、ディスククランプの押圧力を強くすると、ディスク歪が大きくなり、近年高密度化しているハードディスクへのデーターの書き込み読みとりには適さない。
【０００７】
本発明は、叙上の点に着目して為されたもので、ビスなどのネジを用いることを無くし、弾性体リングとこれを押圧する押え板との構成によってハードディスクを適正な圧力で押止することにより高容量，高密度のハードディスクに対して歪が少なく、しかも高い保持力を持って固定できるようにしたハードディスク固定装置およびその固定部材を提供することを目的とする。
【課題を解決するための手段】
【０００８】
本発明は、上記課題を解決するために以下の構成とした。
【０００９】
（１）ハードディスクドライブのスピンドルモータ等に用いられるハードディスクの固定装置であって、ハブ本体のハードディスクの座部の段差の高さをハードディスクの厚さより低くし、この座部の内側に弾性体リングおよびこの弾性体リングを押止する押え板の内径が嵌合する凹陥壁をハブ本体に形成し、かつこの凹陥壁に続いてハブ本体の頂部外周に係止頂部を設けて成ることを特徴とするハードディスクの固定装置。
【００１０】
（２）弾性体リングは無端環状とし、押え板は一部切欠した弾性体とすると共に、それぞれが外周に比し、内周を稍々下側に向けた屈曲部を有することを特徴とする前記（１）記載のハードディスクの固定装置。
【００１１】
（３）前記（１）または（２）記載のハードディスクの固定装置に用いられる弾性体リングおよび押え板であることを特徴とするハードディスクの固定装置の固定部材。
【発明の効果】
【００１２】
本発明によれば、ビスなどネジ止め構成を備えていないので、微細な切り粉などの発生がないので、駆動中のハードディスクを傷めないと共に、弾性体リングとこれを押圧する押え板によってハードディスクを押止し、かつハブ本体の凹陥壁によって弾性体リングの内側がハードディスクの厚さより低い座部の内側よりハードディスクの中心側において、スラスト方向（ディスクと直交する軸方向）およびラジアル方向（ディスクと平行の平面方向）とに有効に作用するので、ハードディスクに対して歪みを与えることなく固定できる。
【００１３】
しかも、弾性体リングの弾性力作用によって、十分な固定力が得られ、耐衝撃性を有し、高容量で高密度のディスクに対してきわめて有効である。
【発明を実施するための最良の形態】
【００１４】
以下に、本発明の実施例を説明する。
【実施例１】
【００１５】
図１は、本発明のハードディスクの固定装置およびその固定部材を説明するための代表的なスピンドルモータを用いた実施例を示した断面図である。
【００１６】
図２は弾性体リングを示し、（ａ）は平面図、（ｂ）は縦断面図である。
【００１７】
図３は押え板を示し、（ａ）は平面図、（ｂ）はIIIｂ−IIIｂ線断面図である。
【００１８】
図４は要部の拡大断面説明図である。
【００１９】
図面について説明すれば、１は各種スピンドルモータ（ＳＰＭ）のスピンドル（中心軸）、２はこのスピンドル１に挿通したハブ本体を示し、ハードディスクＨＤを着脱自在に係止できる。なお、スピンドル１自体は、固定構造のものも回転構造のものにも適用できる。
【００２０】
３はハードディスクＨＤの内周部を載置できる座部であり、高さｈの段差３ａを有し、スピンドル１側の内側に凹んだ平面部４を介して上方に向けて凹陥壁５が穿たれている。この凹陥壁５に続いてその頂部外周に係止頂部６が設けてある。
【００２１】
７は弾性体リングを示し、内周には下側に向く屈曲部７ａを有する。８は、前記弾性体リング７を押圧する押え板を示し、バネ性のある金属製でかつ一部に切欠部９を有すると共に、内周には弾性体リング７と同様に下側に向けて屈曲部８ａを有する。
【００２２】
そして、前記弾性体リング７は、アウトガス対策用のテフロン(登録商標)系ゴムを用いてアウトガスの発生を防ぐと共に、拡径して前記ハブ本体２の凹陥壁５内にハードディスクＨＤの基部を押止すると共に、前記押え板８は、その切欠部９を拡げて同様に弾性体リング７の上方から凹陥壁５に嵌合させて係止頂部６と座部３との間で弾性体リング７を介してハードディスクＨＤを確固に固定できるものである。
【００２３】
なお、ハードディスクＨＤの厚さＨに対し、座部３の段差３ａの高さｈは低い構成としてある。
【００２４】
ここで、図４を参考にして、この実施例におけるハードディスクの固定構成についてより詳細に説明する。
【００２５】
ハードディスクＨＤのハブ本体２に嵌合される内側面には、きわめて小さいが略４５°のカット面Ｃが形成されている。
【００２６】
したがって、このカット面Ｃには、嵌合された弾性体リング７が、その屈曲部７ａにおいて押え板８の屈曲部８ａの形状に基づく押圧力を受けて、絶えず直角方向の作用力Ｔが加わることが分かる。
【００２７】
したがって、この直角方向の作用力Ｔの垂直方向の分力Ｐおよび水平方向の分力Ｑが生じて、ハードディスクＨＤがガタつく条件を完全に防ぐことができる。
【００２８】
なお、この実施例では座部３の段差３ａの高さｈがハードディスクＨＤの厚さＨより常に低くすることにより、凹陥壁５と平面部４とハードディスクＨＤとの位置関係で低位の空間部分が形成できるので、この空間部分を弾性体リング７によって完全に近い状況で閉塞して衝撃等を吸収して他へ移動するのを防止できる。
【実施例２】
【００２９】
図５に、本発明の他の実施例を示す。
【００３０】
この実施例も実質的には実施例と同一である。
【００３１】
したがって、実質同一の構成は同一符号を符し説明は省く。
【００３２】
ただ異なる点は、弾性体リング７Ａの形状を稍々平面的とし、これを押える押さえ板８Ａを断面鈎状とすると共に、さらに係止頂部６Ａとの間に止めリング１０を用いて係止させただけである。
【００３３】
以上、本発明について二実施例を記述したが、スピンドルモータやステッピングモータを含めて軸受モータなどハードディスク駆動手段に適用できるものであって、駆動手段には何等限定されるものではない。
【００３４】
本発明については前述したように、ハードディスクを固定するＨＤＤは、図示したスピンドルが固定した構成に限るものではなく、スピンドルが回転する形式のものは勿論のこと、ロータがステータに対してインナーのみならば、アウターの構成を含むことは勿論である。
【図面の簡単な説明】
【００３５】
【図１】本発明のハードディスクの固定装置およびその固定部材を説明するための代表的なスピンドルモータを用いた実施例を示した断面図である。
【図２】弾性体リングを示し、（ａ）は平面図、（ｂ）は縦断面図である。
【図３】押え板を示し、（ａ）は平面図、（ｂ）はIIIｂ−IIIｂ線断面図である。
【図４】要部の拡大断面説明図である。
【図５】他の実施例を示す要部の断面説明図である。
【図６】従来例を示す縦断側面図である。
【符号の説明】
【００３６】
１  スピンドル（中心軸）
２  ハブ本体
３  段差３ａを有する座部
４  平面部
５  凹陥壁
６，６Ａ  係止頂部
７，７Ａ  弾性体リング
８，８Ａ  押え板
１０  止めリング
【図１】
2006040428.tif 000003
【図２】
2006040428.tif 000004
【図３】
2006040428.tif 000005
【図４】
2006040428.tif 000006
【図５】
2006040428.tif 000007
【図６】
2006040428.tif 000008